(57)【要約】【課題】この発明は、ノズルの先端側の下部に形成された燃料の滴が落下することを防止し、これにより落下した燃料の滴が外部にまで達することを防止し、さらに、ノズルの異常も判断できるようにすることを目的とする。【解決手段】この発明は、内部に燃焼室を区画する燃焼室筒体を略水平に配設し、燃焼室筒体の一端側にバーナ部を設け、バーナ部は、略水平に配設したノズルを設け、ノズルの先端側に向かって燃焼用空気を圧送する燃焼ファンを設け、燃焼ファンにより圧送される燃焼用空気をノズルの先端側において旋回させる旋回羽根を設け、燃焼室筒体の他端側に燃焼室内の放熱開口部を設け、放熱開口部に赤外線を輻射する輻射体を設けた赤外線輻射ヒータにおいて、旋回羽根に、ノズルの先端側の下部に向かって燃焼用空気を吹き出させるための空気吹出部を設けたことを特徴とする。【選択図】図１
2010133568.tif 000002
【特許請求の範囲】
【請求項１】
一端側を閉塞して他端側を開放した筒形状に形成されて内部に燃焼室を区画する燃焼室筒体を略水平に配設し、前記燃焼室筒体の一端側に燃焼室内に燃料を噴射して燃焼させるバーナ部を設け、前記バーナ部は、燃料を噴射する先端側が燃焼室内に指向するように略水平に配設したノズルを設け、前記ノズルの先端側に向かって燃焼用空気を圧送する燃焼ファンを設け、前記燃焼ファンにより圧送される燃焼用空気をノズルの先端側において旋回させる旋回羽根を設け、前記燃焼室筒体の他端側に燃焼室内の燃焼ガスを放出する放熱開口部を設け、前記放熱開口部に燃焼ガスにより加熱されて赤外線を輻射する輻射体を設けた赤外線輻射ヒータにおいて、前記旋回羽根に、前記ノズルの先端側の下部に向かって燃焼用空気を吹き出させるための空気吹出部を設けたことを特徴とする赤外線輻射ヒータ。
【発明の詳細な説明】
【技術分野】
【０００１】
この発明は赤外線輻射ヒータに係り、特に、ノズルから噴射される燃料が滴となってバーナ内に落下することを防止する赤外線輻射ヒータに関するものである。
【背景技術】
【０００２】
燃料を燃焼させて乾燥や暖房を行うヒータには、赤外線輻射ヒータがある。赤外線輻射ヒータは、燃料を噴射して生成された霧状の燃料と燃焼用空気とを混合させて燃焼室内で燃焼させ、燃焼ガスを放出するとともに放出される燃焼ガスにより輻射体を加熱して赤外線を輻射させることで、効果的に乾燥や暖房を行うことができる。
【０００３】
従来の赤外線輻射ヒータとしては、図３に示すものがある。図３に示す赤外線輻射ヒータ１０１は、ケーシング内に一端側を閉塞して他端側を開放した筒形状に形成されて内部に燃焼室１０２を区画する燃焼室筒体１０３を略水平に配設し、燃焼室筒体１０３の一端側を閉塞する壁部１０４に燃焼室１０２内に燃料を噴射して燃焼させるバーナ部１０５を設け、他端側に放熱開口部を設けている。
【０００４】
バーナ部１０５は、燃焼室筒体１０３の壁部１０４に形成した取付孔１０６に嵌合して取り付けられるドラフトチューブ１０７を設け、ドラフトチューブ１０７にチューブ固定板１０８を介して固定されるディフューザ１０９を設けている。チューブ固定板１０８には、空気流通孔１１０を形成している。ディフューザ１０９には、後述するノズル１１４を保持するホルダ１１１を設け、後述する燃焼ファンが圧送する燃焼用空気の空気供給孔１１２を形成している。
【０００５】
前記バーナ部１０５は、燃料を噴射する先端側の噴口１１３が燃焼室１０２内に指向するように略水平に配設したノズル１１４を設け、ノズル１１４の基端側をディフューザ１０９のホルダ１１１に保持している。また、バーナ部１０５は、ディフューザ１０９の空気供給孔１１２からノズル１１４の先端側に向かって燃焼用空気を圧送する燃焼ファンを設け、ディフューザ１０９に取り付けている。さらに、バーナ部１０５は、燃焼ファンにより圧送される燃焼用空気をノズル１１４の先端側のドラフトチューブ１０７内において旋回させる旋回羽根１１５を設け、ディフューザ１０９のホルダ１１１に取り付けている。
【０００６】
前記ドラフトチューブ１０７内には、ノズル１１４の先端側の噴口１１３から噴射された霧状の燃料の流れをガイドするテーパ形状のガイド板１１６を取り付けている。ガイド板１１６には、旋回羽根１１５により旋回される燃焼用空気を霧状の燃料に対して交差する方向に案内する案内部１１７を設けている。これにより、ドラフトチューブ１０７は、燃料の燃焼による火炎を保持する。
【０００７】
この赤外線輻射ヒータ１０１は、燃焼室１０２の一端側においてバーナ部１０５のノズル１１４から噴射して生成された霧状の燃料と燃焼ファンが圧送して旋回羽根１１５により旋回される燃焼用空気とを混合させて図示しない点火プラグにて点火し、燃焼室１０２内で燃焼させ、燃焼室１０２の他端側の放熱開口部から燃焼ガスを放出するとともに放出される燃焼ガスにより放熱開口部に設けた輻射体を加熱して赤外線を輻射させ、乾燥や暖房を行う。
【０００８】
このような赤外線輻射ヒータには、燃焼ガスにより加熱されて赤外線を輻射する輻射体として、複数枚隣り合わせた状態で配置されている耐熱性金属細線で形成された金網で構成されているものがある。
【特許文献１】特開２００４−２７０９５６号公報
【発明の開示】
【発明が解決しようとする課題】
【０００９】
ところが、図３に示す従来の赤外線輻射ヒータ１０１は、バーナ部１０５の着火時や消火時、あるいはノズル１１４からの燃料噴射の異常時に燃料が微粒化されず、ノズル１１４の先端側の噴口１１２の下部に燃料が滴ｄとなって形成されることがある。
【００１０】
ノズル１１４の先端側の下部に形成された燃料の滴ｄは、矢印に示すようにバーナ部１０５のドラフトチューブ１０７内に落ちて溜まり、チューブ固定板１０８とドラフトチューブ１０７との合わせ面を下方に伝ってチューブ固定板１０８の下端から赤外線輻射ヒータ１０１のケーシング内に垂れ落ち、最終的に赤外線輻射ヒータ１０１の外部にまで達するという不都合があった。
【００１１】
この発明は、ノズルの先端側の下部に形成された燃料の滴が落下することを防止し、これにより落下した燃料の滴が外部にまで達することを防止し、さらに、ノズルの異常も判断できるようにすることを目的とする。
【課題を解決するための手段】
【００１２】
この発明は、一端側を閉塞して他端側を開放した筒形状に形成されて内部に燃焼室を区画する燃焼室筒体を略水平に配設し、前記燃焼室筒体の一端側に燃焼室内に燃料を噴射して燃焼させるバーナ部を設け、前記バーナ部は、燃料を噴射する先端側が燃焼室内に指向するように略水平に配設したノズルを設け、前記ノズルの先端側に向かって燃焼用空気を圧送する燃焼ファンを設け、前記燃焼ファンにより圧送される燃焼用空気をノズルの先端側において旋回させる旋回羽根を設け、前記燃焼室筒体の他端側に燃焼室内の燃焼ガスを放出する放熱開口部を設け、前記放熱開口部に燃焼ガスにより加熱されて赤外線を輻射する輻射体を設けた赤外線輻射ヒータにおいて、前記旋回羽根に、前記ノズルの先端側の下部に向かって燃焼用空気を吹き出させるための空気吹出部を設けたことを特徴とする。
【発明の効果】
【００１３】
この発明の赤外線輻射ヒータは、旋回羽根の空気吹出部から吹き出される燃焼用空気により、ノズルの先端側の下部に形成された燃料の滴を燃焼室内に吹き飛ばすことができ、吹き飛ばされた滴状の燃料を燃焼室内あるいは輻射体において燃焼させることができる。
このため、この発明の赤外線輻射ヒータは、ノズルの先端側の下部に形成された燃料の滴が落下することを防止でき、これにより落下した燃料の滴が外部にまで達することを防止できる。さらに、この発明の赤外線輻射ヒータは、ノズルから常に燃料の滴が落ちるような異常状態となった場合に、安定燃焼中に燃焼室内あるいは輻射体に吹き飛ばされた燃料の滴が燃焼するため、ノズルの異常による燃焼を眼で確認することができ、付帯効果として、ノズルの異常も判断することが可能となった。
【発明を実施するための最良の形態】
【００１４】
以下図面に基づいて、この発明の実施例を説明する。
【実施例】
【００１５】
図１〜図２は、この発明の実施例を示し、図１は赤外線輻射ヒータのバーナ部の拡大断面図、図２は赤外線輻射ヒータの断面図である。図２において、１は赤外線輻射ヒータである。赤外線輻射ヒータ１は、基台となる燃料タンク２上の搭載部３にケーシング４を搭載している。ケーシング４は、円筒部５と一端側の円板状壁部６と他端側の円環状壁部７とにより、一端側を閉塞して他端側を開放した筒形状に形成され、搭載部３に軸心を略水平にして搭載している。ケーシング４の一端側の円板状壁部６には、後述する燃焼ファン２８を覆うバーナカバー８を取付ている。
【００１６】
前記ケーシング４内には、燃焼室筒体９を配設している。燃焼室筒体９は、円筒部１０と壁部１１とにより、一端側を壁部１１により閉塞して他端側を放熱開口部１２に開放した筒形状に形成され、内部に燃焼室１３を区画している。燃焼室筒体９は、一端側の壁部１１をケーシング４の円板状壁部６に対向させ、他端側の放熱開口部１２をケーシング４の円環状壁部７に取り付けて、ケーシング４内に同軸状で略水平に配設している。
【００１７】
燃焼室筒体９の一端側を閉塞する壁部１１には、燃焼室１３内に燃料を噴射して燃焼させるバーナ部１４を設けている。バーナ部１４は、図１に示すように、燃焼室筒体９の壁部１１の取付孔１５に嵌合して取り付けられる略円筒状のドラフトチューブ１６を設け、ドラフトチューブ１６に円環板状のチューブ固定板１７を介して固定される略円筒状のディフューザ１８を設けている。チューブ固定板１７には、空気流通孔１９を形成している。ディフューザ１８には、後述するノズル２２を保持する筒状のホルダ２０を設け、後述する燃焼ファン２８が圧送する燃焼用空気を供給する空気供給孔２１を形成している。ディフューザ１８は、空気供給孔２１側をバーナカバー８に取り付けられる。
【００１８】
前記バーナ部１４は、燃料を噴射する先端側が燃焼室１３内に指向するように略水平に配設したノズル２２を設けている。ノズル２２は、燃料を噴射する噴口２３を設けた先端側の噴射部２４と、噴口２３に連通する燃料導入孔２５を設けた基端側の取付部２６とからなる。ノズル２２は、噴射部２４を空気流通孔１９からドラフトチューブ１６内に突入位置させ、取付部２６をディフューザ１８のホルダ２０にねじ嵌合して保持される。ノズル２２は、ホルダ２０内の燃料通路２７の燃料を基端側の燃料導入孔２５に導入し、先端側の噴口２３から噴射する。
【００１９】
また、バーナ部１４は、図２に示すように、ディフューザ１８の空気供給孔２１からノズル２２の先端側に向かって燃焼用空気を圧送する燃焼ファン２８を設けている。燃焼ファン２８は、ファン２９の回転により吸気口３０から取り入れた空気を吹出口３１に圧送する。燃焼ファン２８は、ケーシング４の円板状壁部６の外側に配設し、吹出口３１を空気供給孔２１に接続してディフューザ１８に取り付けられ、バーナカバー８により覆われている。
【００２０】
さらに、バーナ部１４は、図１に示すように、燃焼ファン２８により圧送される燃焼用空気を、ノズル２２の先端側のドラフトチューブ１６内において旋回させる旋回羽根３２を設けている。旋回羽根３２は、ノズル２２の先端側に近い位置で、ディフューザ１８のホルダ２０外周に内周を取り付けている。
【００２１】
前記ドラフトチューブ１６内には、ノズル２２の先端側の噴口２３から噴射された霧状の燃料の流れをガイドするテーパ形状のガイド板３３を取り付けている。ガイド板３３には、旋回羽根３２により旋回される燃焼用空気を霧状の燃料に対して交差する方向に案内する案内部３４を設けている。これにより、ドラフトチューブ１６は、燃料の燃焼による火炎を保持する。
【００２２】
また、前記燃焼室筒体９の他端側には、図２に示すように、燃焼室１３内の燃焼ガスを放出する前記放熱開口部１２を設けている。放熱開口部１２には、放出する燃焼ガスにより加熱されて赤外線を輻射する輻射体３５を設けている。
【００２３】
この赤外線輻射ヒータ１は、図１に示すように、旋回羽根３２に、ノズル２２の先端側の下部に向かって燃焼用空気を吹き出させるための空気吹出部３６を設けている。空気吹出部３６は、ホルダ２０の外周下部に取り付けられる旋回羽根３２の内周上部をノズル２２の先端側の下部に向かうように折曲げ傾斜させて形成し、ホルダ２０の外周下部との間にノズル２２の先端側に近付くにしたがい次第に断面積が小さくなる吹出通路３７を形成している。
【００２４】
空気吹出部３６は、ホルダ２０の外周下部を流れる燃焼用空気を、次第に断面積が小さくなる吹出通路３７により加速して、ノズル２２の先端側の下部に向かって送り出すことができる。
【００２５】
次に作用を説明する。
この赤外線輻射ヒータ１は、燃焼室１３の一端側においてバーナ部１４のノズル２２から噴射して生成された霧状の燃料と燃焼ファン２８が圧送して旋回羽根３２により旋回される燃焼用空気とを混合させて図示しない点火プラグにて点火し、燃焼室１３内で燃焼させ、燃焼室１３の他端側の放熱開口部１２から燃焼ガスを放出するとともに放出される燃焼ガスにより放熱開口部１２に設けた輻射体３５を加熱して赤外線を輻射させ、乾燥や暖房を行う。
【００２６】
赤外線輻射ヒータ１は、バーナ部１４の着火時や消火時、あるいはノズル２２からの燃料噴射の異常時に燃料が微粒化されず、ノズル２２の先端側の噴口２３の下部に燃料が滴ｄとなって形成されることがある。
【００２７】
この赤外線輻射ヒータ１は、旋回羽根３２に、ノズル２２の先端側の下部に向かって燃焼用空気を吹き出させるための空気吹出部３６を設けている。旋回羽根３２の空気吹出部３６から吹き出される燃焼用空気は、ノズル２２の先端側の下部に形成された燃料の滴ｄを燃焼室１３内に吹き飛ばすことができる。吹き飛ばされた燃料の滴ｄは、燃焼により高温になっている燃焼室１３内、あるいは燃焼ガスにより高温になっている輻射体３５において燃焼させることができる。
【００２８】
このため、この赤外線輻射ヒータ１は、ノズル２２の先端側の下部に形成された燃料の滴ｄが落下することを防止でき、これにより落下した燃料の滴ｄがドラフトチューブ１６内に溜まってチューブ固定板１７の下端に伝わり、ケーシング４の外部にまで達することを防止できる。さらに、この赤外線輻射ヒータ１は、ノズル２２から常に燃料の滴が落ちるような異常状態となった場合に、安定燃焼中に燃焼室１３内あるいは輻射体３５で吹き飛ばされた燃料の滴が燃焼するため、ノズル２２の異常による燃焼を眼で確認することができ、付帯効果として、ノズル２２の異常も判断することが可能となった。
【産業上の利用可能性】
【００２９】
この赤外線輻射ヒータは、ノズルの先端側の下部に形成された燃料の滴を燃焼室内に吹き飛ばして燃焼させることができ、いわゆるガンタイプバーナを備えたヒータに適用することができる。
【図面の簡単な説明】
【００３０】
【図１】実施例を示す赤外線輻射ヒータのバーナ部の拡大断面図である。
【図２】赤外線輻射ヒータの断面図である。
【図３】従来例を示す赤外線輻射ヒータのバーナ部の拡大断面図である。
【符号の説明】
【００３１】
１  赤外線輻射ヒータ
２  燃料タンク
３  搭載部
４  ケーシング
８  バーナカバー
９  燃焼室筒体
１３  燃焼室
１４  バーナ部
１６  ドラフトチューブ
１７  チューブ固定板
１８  ディフューザ
２０  ホルダ
２２  ノズル
２８  燃焼ファン
３２  旋回羽根
３３  ガイド板
３５  輻射体
３６  空気吹出部
【図１】
2010133568.tif 000003
【図２】
2010133568.tif 000004
【図３】
2010133568.tif 000005